(57)【要約】  二次電池１０は、第１及び第２の電極組立体１２ａ，１２ｂと、第１及び第２の負極タブ群１９ａ，１９ｂを備える。第１及び第２の負極タブ群１９ａ，１９ｂは、それぞれ、寄せ集められた複数のタブの部分により構成される集箔部４１と、集箔部４１からそれぞれ互いに向かって延びる延出部４２とを有する。各タブ群において、延出部４２は、タブ群を構成する全てのタブが積層した状態で負極導電部材１６ａと溶接された溶接対象部４３と、溶接対象部４３よりも負極タブ３８の先端側に位置する段差部４４とを有し、段差部４４では、複数のタブはそれらの先端が階段状にずれた状態で積層されている。二次電池１０は、第１の負極タブ群１９ａの段差部４４と第２の負極タブ群１９ｂの段差部４４とが負極タブ３８の積層方向に重ねられた重なり部４５を備える。
2018235428.tif 000002
【特許請求の範囲】
【請求項１】
第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、
前記第１の電極組立体における前記複数の正極の前記タブにより構成される正極側の第１のタブ群と、
前記第１の電極組立体における前記複数の負極の前記タブにより構成される負極側の第１のタブ群と、
前記第２の電極組立体における前記複数の正極の前記タブにより構成される正極側の第２のタブ群と、
前記第２の電極組立体における前記複数の負極の前記タブにより構成される負極側の第２のタブ群と、
正極側の前記第１及び第２のタブ群と接合された正極側の導電部材と、
負極側の前記第１及び第２のタブ群と接合された負極側の導電部材と、
を備え、
前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、
前記第１の電極組立体の前記第１端に位置する端面と前記第２の電極組立体の前記第１端に位置する端面とが対向するように、前記第１の電極組立体及び前記第２の電極組立体が配置される蓄電装置であって、
正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有し、
前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されており、
正極側及び負極側の各々において、前記第１のタブ群の段差部と前記第２のタブ群の段差部とが前記タブの積層方向に重ねられて重なり部を形成している、蓄電装置。
【請求項２】
前記正極側及び負極側の第１のタブ群の各々において、前記集箔部を構成する前記複数のタブの部分は前記第１の電極組立体の前記第２端に対応する箇所で寄せ集められ、前記延出部は前記集箔部から、前記第１の電極組立体の前記第２端から前記第１端に向かう方向に延びており、
前記正極側及び負極側の第２のタブ群の各々において、前記集箔部を構成する前記複数のタブの部分は前記第２の電極組立体の前記第２端に対応する箇所で寄せ集められ、前記延出部は前記集箔部から、前記第２の電極組立体の前記第２端から前記第１端に向かう方向に延びている、請求項１に記載の蓄電装置。
【請求項３】
正極側及び負極側の各々において、前記重なり部は、前記第１及び第２の積層方向において前記第１のタブ群の溶接対象部と前記第２のタブ群の溶接対象部との間に位置する、請求項１または２に記載の蓄電装置。
【請求項４】
第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、
前記第１の電極組立体における前記複数の正極の前記タブにより構成される正極側の第１のタブ群と、
前記第１の電極組立体における前記複数の負極の前記タブにより構成される負極側の第１のタブ群と、
前記第２の電極組立体における前記複数の正極の前記タブにより構成される正極側の第２のタブ群と、
前記第２の電極組立体における前記複数の負極の前記タブにより構成される負極側の第２のタブ群と、
正極側の前記第１及び第２のタブ群と接合された正極側の導電部材と、
負極側の前記第１及び第２のタブ群と接合された負極側の導電部材と、
を備え、
前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、
前記第１の電極組立体の前記第１端に位置する端面と前記第２の電極組立体の前記第１端に位置する端面とが対向するように、前記第１の電極組立体及び前記第２の電極組立体が配置される蓄電装置であって、
正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有し、
前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されており、
前記各タブ群において、前記延出部は前記段差部を含む折り返し部を有し、同折り返し部は、対応する電極組立体の前記第１端から前記第２端に向かう方向に延びるように前記延出部を折り返した部分である、蓄電装置。
【請求項５】
前記各タブ群における前記折り返し部は、対応する前記延出部に溶接により固定された固定部を備える、請求項４に記載の蓄電装置。
【請求項６】
第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、
前記第１の電極組立体における前記複数の正極の前記タブにより構成される正極側の第１のタブ群と、
前記第１の電極組立体における前記複数の負極の前記タブにより構成される負極側の第１のタブ群と、
前記第２の電極組立体における前記複数の正極の前記タブにより構成される正極側の第２のタブ群と、
前記第２の電極組立体における前記複数の負極の前記タブにより構成される負極側の第２のタブ群と、
正極側の前記第１及び第２のタブ群と接合された正極側の導電部材と、
負極側の前記第１及び第２のタブ群と接合された負極側の導電部材と、
を備え、
前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、
前記第１の電極組立体の前記第１端に位置する端面と前記第２の電極組立体の前記第１端に位置する端面とが対向するように、前記第１の電極組立体及び前記第２の電極組立体が配置される蓄電装置であって、
正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有し、
前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されており、
前記電極の前記一辺に沿う方向が幅方向であり、
正極側及び負極側の各々において、前記第１のタブ群の前記延出部と前記第２のタブ群の前記延出部とは、前記幅方向において異なる位置に配置される、蓄電装置。
【請求項７】
正極側及び負極側の各々において、前記第１のタブ群の前記溶接対象部と前記第２のタブ群の前記溶接対象部とは、前記第１及び第２の積層方向における前記導電部材の中央に位置する、請求項６に記載の蓄電装置。
【発明の詳細な説明】
【技術分野】
【０００１】
本発明は、第１の電極組立体及び第２の電極組立体を備える蓄電装置に関する。
【背景技術】
【０００２】
従来から、ＥＶ（Electric Vehicle）またはＰＨＶ（Plug in Hybrid Vehicle）などの車両には、電動機などへの供給電力を蓄える蓄電装置としてリチウムイオン二次電池などが搭載されている。二次電池は、シート状の電極である正極と負極とが互いから絶縁された状態で交互に積層された電極組立体と、該電極組立体を収容するケースとを備える。各電極は、同電極の一辺の一部から突出したタブを備える。これらタブの突出長さは、全てのタブで同じである。電極組立体は、極性毎に複数の電極のタブが積層されたタブ群を備える。タブ群は、電極の積層方向における任意の位置でタブが寄せ集められた集箔部と、集箔部から積層方向に延びる延出部とを備える。二次電池からの電力の取り出しは、電極組立体と電気的に接続された電極端子を通して行われる。二次電池は、同一極性のタブ群の延出部において全てのタブが積層された部分と電極端子の一部（例えば導電部材）とを溶接して接合した溶接部を備える。溶接部によって、正極及び負極の電極は、それぞれ対応する極性の電極端子と電気的に接続されている。【０００３】
ところで、タブ群と導電部材との溶接において、積層されたタブの枚数が多い場合に全てのタブを一度に溶接しようとすると、溶接に要するエネルギーは大きくなる。このため、例えば特許文献１では、各極性のタブ群を第１のタブ群と第２のタブ群とに分けて溶接している。この場合、一度に溶接するタブの枚数が減ることで、一度の溶接に必要なエネルギーを低減できる。これにより、例えば溶接装置の大型化を抑制できる。
【先行技術文献】
【特許文献】
【０００４】
【特許文献１】特開２０１３−１９６９５９号公報
【発明の概要】
【発明が解決しようとする課題】
【０００５】
上述したように、タブの突出長さは全てのタブで同じである。このため、タブ群の集箔部が電極の積層方向における任意の位置に寄せ集められた場合、タブ群を構成する複数のタブの先端位置は揃わない。例えば、タブ群の集箔部が電極の積層方向において電極組立体の第１端に対応する箇所に存在する場合、タブ群において、積層方向に隣り合う２つのタブのうち、電極組立体の第１端に近い方のタブは、電極組立体の第２端に近い方のタブよりも先端が突出している。よって、タブ群の延出部は、全てのタブが積層された部分よりもタブ群の先端側に、タブの先端が段状に並んだ構造を有する段差部を備える。【０００６】
同一極性の第１のタブ群及び第２のタブ群の配置に関し、段差部がケースの内面に向くように各タブ群を配置する場合、段差部の長さによっては、段差部とケースとが接触し、電極組立体とケースとが短絡するおそれがある。一方、段差部同士が向き合うように第１及び第２のタブ群を配置する場合、集箔部の位置及び段差部の長さによっては、第１のタブ群及び第２のタブ群を配置するために、電極の積層方向に広がるスペースを確保する必要がありデッドスペースが生じる可能性がある。なお、段差部を切断することで、ケースとの接触を抑制したり、スペースを削減したりできるが、切断されたタブ群の欠片が異物になり得るため好ましくない。【０００７】
本発明の目的は、タブ群を好適に配置可能な蓄電装置を提供することにある。
【課題を解決するための手段】
【０００８】
上記問題点を解決するための蓄電装置は、第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、前記第１の電極組立体における前記複数の正極の前記タブにより構成される正極側の第１のタブ群と、前記第１の電極組立体における前記複数の負極の前記タブにより構成される負極側の第１のタブ群と、前記第２の電極組立体における前記複数の正極の前記タブにより構成される正極側の第２のタブ群と、前記第２の電極組立体における前記複数の負極の前記タブにより構成される負極側の第２のタブ群と、正極側の前記第１及び第２のタブ群と接合された正極側の導電部材と、負極側の前記第１及び第２のタブ群と接合された負極側の導電部材と、を備える。前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有する。前記第１の電極組立体の前記第１端に位置する端面と前記第２の電極組立体の前記第１端に位置する端面とが対向するように、前記第１の電極組立体及び前記第２の電極組立体が配置される。正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有する。前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有する。前記段差部では、前記複数のタブはそれらの先端が階段状にずれた状態で積層されている。正極側及び負極側の各々において、前記第１のタブ群の段差部と前記第２のタブ群の段差部とが前記タブの積層方向に重ねられて重なり部を形成している。【０００９】
これによれば、第１のタブ群の延出部は、集箔部から第１の積層方向に沿って第２の電極組立体に向けて延びるため、第１のタブ群の先端部が電極組立体を収容するケースと接触することを抑制できる。同様に、第２のタブ群の延出部は、集箔部から第２の積層方向に沿って第１の電極組立体に向けて延びるため、第２のタブ群の先端部がケースと接触することを抑制できる。また、第１及び第２のタブ群は、段差部が重ねられた重なり部を有するため、段差部を向き合わせ、かつ重ねずに第１及び第２のタブ群を配置する場合と比べて、第１及び第２のタブ群を配置するためのスペースを第１及び第２の積層方向において削減できる。【００１０】
上記蓄電装置は、前記正極側及び負極側の第１のタブ群の各々において、前記集箔部を構成する前記複数のタブの部分は前記第１の電極組立体の前記第２端に対応する箇所で寄せ集められ、前記延出部は前記集箔部から、前記第１の電極組立体の前記第２端から前記第１端に向かう方向に延びており、前記正極側及び負極側の第２のタブ群の各々において、前記集箔部を構成する前記複数のタブの部分は前記第２の電極組立体の前記第２端に対応する箇所で寄せ集められ、前記延出部は前記集箔部から、前記第２の電極組立体の前記第２端から前記第１端に向かう方向に延びていることが好ましい。【００１１】
また、上記蓄電装置について、正極側及び負極側の各々において、前記重なり部は、前記第１及び第２の積層方向において前記第１のタブ群の溶接対象部と前記第２のタブ群の溶接対象部との間に位置するのが好ましい。【００１２】
これによれば、第１及び第２のタブ群の重なり部が溶接対象部に重なっていない状態で溶接対象部と導電部材とを溶接でき、溶接時の作業性を良好にできる。
上記問題点を解決するための蓄電装置は、第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、前記第１の電極組立体における前記複数の正極の前記タブにより構成される正極側の第１のタブ群と、前記第１の電極組立体における前記複数の負極の前記タブにより構成される負極側の第１のタブ群と、前記第２の電極組立体における前記複数の正極の前記タブにより構成される正極側の第２のタブ群と、前記第２の電極組立体における前記複数の負極の前記タブにより構成される負極側の第２のタブ群と、正極側の前記第１及び第２のタブ群と接合された正極側の導電部材と、負極側の前記第１及び第２のタブ群と接合された負極側の導電部材と、を備える。前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、前記第１の電極組立体の前記第１端に位置する端面と前記第２の電極組立体の前記第１端に位置する端面とが対向するように、前記第１の電極組立体及び前記第２の電極組立体が配置される。正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有する。前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有する。前記段差部では、前記複数のタブはそれらの先端が階段状にずれた状態で積層されている。前記各タブ群において、前記延出部は前記段差部を含む折り返し部を有し、同折り返し部は、対応する電極組立体の前記第１端から前記第２端に向かう方向に延びるように前記延出部を折り返した部分である。【００１３】
これによれば、第１のタブ群の延出部は、集箔部から第１の積層方向に沿って第２の電極組立体に向けて延びるため、第１のタブ群の先端部が電極組立体を収容するケースと接触することを抑制できる。同様に、第２のタブ群の延出部は、集箔部から第１の積層方向に沿って第１の電極組立体に向けて延びるため、第２のタブ群の先端部がケースと接触することを抑制できる。また、第１及び第２の負極タブ群はそれぞれ、それらの先端領域を折り返した折り返し部を有するため、両段差部を向き合わせ、かつ重ねずに第１及び第２のタブ群を配置する場合と比べて、第１及び第２のタブ群を配置するためのスペースを第１及び第２の積層方向において削減できる。【００１４】
また、上記蓄電装置について、前記各タブ群における前記折り返し部は、対応する前記延出部に溶接により固定された固定部を備えるのが好ましい。
これによれば、折り返し部の形状を維持できる。また、第１及び第２のタブ群の溶接対象部と導電部材とを溶接する溶接装置によって、折り返し部の形状を固定できるため、テープや接着剤などの新たな固定手段が不要である。【００１５】
上記問題点を解決するための蓄電装置は、第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、前記第１の電極組立体における前記複数の正極の前記タブにより構成される正極側の第１のタブ群と、前記第１の電極組立体における前記複数の負極の前記タブにより構成される負極側の第１のタブ群と、前記第２の電極組立体における前記複数の正極の前記タブにより構成される正極側の第２のタブ群と、前記第２の電極組立体における前記複数の負極の前記タブにより構成される負極側の第２のタブ群と、正極側の前記第１及び第２のタブ群と接合された正極側の導電部材と、負極側の前記第１及び第２のタブ群と接合された負極側の導電部材と、を備える。前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、前記第１の電極組立体の前記第１端に位置する端面と前記第２の電極組立体の前記第１端に位置する端面とが対向するように、前記第１の電極組立体及び前記第２の電極組立体が配置される。正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有する。前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されている。前記電極の前記一辺に沿う方向が幅方向である。正極側及び負極側の各々において、前記第１のタブ群の前記延出部と前記第２のタブ群の前記延出部とは、前記幅方向において異なる位置に配置される。【００１６】
これによれば、第１のタブ群の延出部は、集箔部から第１の積層方向に沿って第２の電極組立体に向けて延びるため、第１のタブ群の先端部が電極組立体を収容するケースと接触することを抑制できる。同様に、第２のタブ群の延出部は、集箔部から第２の積層方向に沿って第１の電極組立体に向けて延びるため、第２のタブ群の先端部がケースと接触することを抑制できる。また、第１のタブ群の延出部と第２のタブ群の延出部とは幅方向において異なる位置に配置されるため、第１及び第２の積層方向において、第１のタブ群の延出部と第２のタブ群の延出部とが重ならない。よって、第１及び第２のタブ群を、互いの段差部を干渉させることなく、配置できる。その結果、第１及び第２の積層方向において両段差部を向き合わせ、かつ重ねずに配置する場合と比べて、第１及び第２のタブ群を配置するためのスペースを第１及び第２の積層方向において削減できる。また、一方のタブ群の段差部が他方のタブ群の溶接対象部に重ならないため、溶接対象部と導電部材とを溶接する際の作業性を良好にできる。【００１７】
また、上記蓄電装置について、正極側及び負極側の各々において、前記第１のタブ群の前記溶接対象部と前記第２のタブ群の溶接対象部とは、前記第１及び第２の積層方向における前記導電部材の中央に位置するのが好ましい。【００１８】
これによれば、第１及び第２のタブ群の溶接対象部が、第１及び第２の積層方向における導電部材の端に位置する場合と比べて、溶接対象部から端子までの電流経路の経路長を短くでき、抵抗を低減できる。
【図面の簡単な説明】
【００１９】
【図１】第１の実施形態の二次電池の分解斜視図。
【図２】図１の二次電池の断面図。
【図３】第２の実施形態の二次電池の断面図。
【図４】第３の実施形態の二次電池の分解斜視図。
【図５】図４の二次電池の断面図。
【図６】図４の二次電池の溶接部の位置を示す平面図。
【図７】別例の二次電池の断面図。
【発明を実施するための形態】
【００２０】
（第１の実施形態）
以下、蓄電装置を二次電池に具体化した第１の実施形態を図１及び図２にしたがって説明する。
【００２１】
図１に示すように、蓄電装置である二次電池１０は、ケース１１を備える。二次電池１０は、ケース１１に収容された第１の電極組立体１２ａと、第２の電極組立体１２ｂと、電解液（図示せず）とを備える。ケース１１は、直方体状のケース本体１３と、ケース本体１３の開口部１３ａを覆う矩形平板状の蓋１４とを有する。ケース本体１３及び蓋１４は、何れも金属製（例えば、ステンレスまたはアルミニウム）である。また、本実施形態の二次電池１０は、その外形が角型の角型電池である。また、本実施形態の二次電池１０は、リチウムイオン電池である。
【００２２】
ケース本体１３は、矩形板状の底壁１３ｂと、底壁１３ｂの周縁から立設された第１〜第４壁部１３ｃ〜１３ｆとを備える。第１壁部１３ｃ及び第２壁部１３ｄは、それぞれ底壁１３ｂの２つの長縁部にそれぞれ繋がり、互いに対面するように配置される。第３壁部１３ｅは第１壁部１３ｃの第１端と第２壁部１３ｄの第１端との間に延び、第４壁部１３ｆは第１壁部１３ｃの第２端と第２壁部１３ｄの第２端との間に延びる。第３壁部１３ｅと第４壁部１３ｆは、互いに対面するように配置される。
【００２３】
二次電池１０は、第１及び第２の電極組立体１２ａ，１２ｂから電気を取り出すための正極端子１５及び負極端子１６を備える。正極端子１５及び負極端子１６は、蓋１４が有する２つの貫通孔１４ａをそれぞれ貫通してケース１１外に突出する。正極端子１５及び負極端子１６には、これらの端子１５，１６を蓋１４から絶縁するための環状の絶縁リング１７がそれぞれ取り付けられている。二次電池１０は、ケース１１内に矩形板状の正極導電部材１５ａを備える。二次電池１０は、ケース１１内に矩形板状の負極導電部材１６ａを備える。正極端子１５は、正極導電部材１５ａと電気的に接続され、負極端子１６は、負極導電部材１６ａと電気的に接続されている。
【００２４】
図２に示すように、第１の電極組立体１２ａ及び第２の電極組立体１２ｂは、複数のシート状の正極電極３０と、複数のシート状の負極電極３１と、複数のシート状のセパレータ３２とを備える。セパレータ３２は、正極電極３０と負極電極３１との間に配置されることにより、正極電極３０と負極電極３１とを互いから絶縁する。第１の電極組立体１２ａ及び第２の電極組立体１２ｂは、セパレータ３２を挟んで正極電極３０及び負極電極３１を交互に積層した構造を備える。
【００２５】
第１の電極組立体１２ａにおいて正極電極３０、負極電極３１、及びセパレータ３２が積層された方向を第１の積層方向とし、第２の電極組立体１２ｂにおいて正極電極３０、負極電極３１、及びセパレータ３２が積層された方向を第２の積層方向とする。第１の電極組立体１２ａと第２の電極組立体１２ｂは、第１の積層方向と第２の積層方向とが一致するようにケース１１内に配置される。第１の積層方向において、第１の電極組立体１２ａは、第２の電極組立体１２ｂに近い方の端である第１端と、ケース本体１３の第１壁部１３ｃに近い方の端である第２端とを有する。同様に、第２の積層方向において、第２の電極組立体１２ｂは、第１の電極組立体１２ａに近い方の端である第１端と、ケース本体１３の第２壁部１３ｄに近い方の端である第２端とを有する。つまり、第１の電極組立体１２ａの第１端と第２の電極組立体１２ｂの第１端とは互いに隣り合う。
【００２６】
正極電極３０は、矩形シート状の正極金属箔（例えばアルミニウム箔）３３と、正極金属箔３３の両面にそれぞれ配置される２つの正極活物質層３４とを有する。正極電極３０は、互いに反対側に位置する２つの長辺のうちの一方である第１縁部３０ａを備える。正極電極３０は、第１縁部３０ａの一部から突出した正極タブ３５を有する（図１参照）。正極タブ３５の両面には正極活物質層３４が配置されていない。正極タブ３５は正極金属箔３３と一体形成されている。すなわち、正極タブ３５は、正極金属箔３３のうち、正極活物質層３４が配置されていない部分である。正極タブ３５は、正極電極３０の第１縁部３０ａから、第１縁部３０ａと直交する方向に突出する。第１及び第２の電極組立体１２ａ，１２ｂにおける正極タブ３５の突出長さは、全ての正極タブ３５で同じ長さである。
【００２７】
負極電極３１は、矩形シート状の負極金属箔（例えば銅箔）３６と、負極金属箔３６の両面にそれぞれ配置される２つの負極活物質層３７とを有する。本実施形態において、第１及び第２の積層方向から見た負極電極３１の外形は、同様に第１及び第２の積層方向から見た正極電極３０の外形よりも一回り大きい。負極電極３１は、互いに反対側に位置する２つの長辺のうちの一方である第１縁部３１ａを備える。負極電極３１は、第１縁部３１ａの一部から突出した負極タブ３８を有する。負極タブ３８の両面には負極活物質層３７が配置されていない。負極タブ３８は負極金属箔３６と一体形成されている。すなわち、負極タブ３８は、負極金属箔３６のうち、負極活物質層３７が配置されていない部分である。負極タブ３８は、負極電極３１の第１縁部３１ａから、第１縁部３１ａと直交する方向に突出する。負極タブ３８は、正極タブ３５と平行に突出する。第１及び第２の電極組立体１２ａ，１２ｂにおける負極タブ３８の突出長さは、全ての負極タブ３８で同じ長さである。正極電極３０及び負極電極３１の第１縁部３０ａ，３１ａに沿う方向を幅方向とする。
【００２８】
セパレータ３２は、ポリプロピレン（ＰＰ）製である。セパレータ３２は、二次電池１０の充放電に伴って正極活物質のリチウムイオン（イオン）が通過可能となるように微細な空孔構造を有する。本実施形態において、第１及び第２の積層方向から見たセパレータ３２の外形は、同様に第１及び第２の積層方向から見た負極電極３１の外形と同じ大きさであり、正極電極３０の外形よりも一回り大きい。
【００２９】
図１に示すように、第１及び第２の電極組立体１２ａ，１２ｂの各々において、複数の正極電極３０は、正極タブ３５が積層方向に沿って一列に配置されるように積層される。正極タブ３５は、幅方向の位置が一致するように並ぶ。同様に、第１及び第２の電極組立体１２ａ，１２ｂの各々において、複数の負極電極３１は、負極タブ３８が幅方向において正極タブ３５と重ならない位置で積層方向に沿って一列に配置されるように積層される。負極タブ３８は、幅方向の位置が一致するように並ぶ。複数の負極タブ３８は、複数の正極タブ３５と幅方向に離れた位置に配置される。
【００３０】
二次電池１０は、複数の正極タブ３５により構成される正極タブ群１８と、複数の負極タブ３８により構成される負極タブ群１９とを備える。第１の電極組立体１２ａの正極タブ群１８を正極側の第１のタブ群である第１の正極タブ群１８ａとし、第２の電極組立体１２ｂの正極タブ群１８を正極側の第２のタブ群である第２の正極タブ群１８ｂとする。第１の正極タブ群１８ａと第２の正極タブ群１８ｂとは、幅方向において同じ位置に配置される。第１の電極組立体１２ａの負極タブ群１９を負極側の第１のタブ群である第１の負極タブ群１９ａとし、第２の電極組立体１２ｂの負極タブ群１９を負極側の第２のタブ群である第２の負極タブ群１９ｂとする。本実施形態において、第１の負極タブ群１９ａと第２の負極タブ群１９ｂとは、幅方向において同じ位置に配置される。
【００３１】
第１の正極タブ群１８ａ及び第１の負極タブ群１９ａの各々は、第１の電極組立体１２ａの第２端に対応する箇所で寄せ集められた全ての正極タブ３５の部分又は全ての負極タブ３８の部分により構成される集箔部４１と、集箔部４１から、第１の電極組立体１２ａの第２端から第１端に向かう方向に延びる延出部４２とを備える。第１の正極タブ群１８ａの延出部４２は、全ての正極タブ３５が積層した状態で正極導電部材１５ａに溶接により接合される溶接対象部と、溶接対象部よりも第１の正極タブ群１８ａの先端側に位置する段差部とを備える。第１の負極タブ群１９ａの延出部４２は、全ての負極タブ３８が積層した状態で負極導電部材１６ａに溶接により接合される溶接対象部４３と、溶接対象部４３よりも第１の負極タブ群１９ａの先端側に位置する段差部４４とを備える。
【００３２】
上述したように、全ての正極タブ３５は同じ突出長さを有し、全ての負極タブ３８は同じ突出長さを有する。このため、第１の正極タブ群１８ａにおいて、基端部分が第１の積層方向に隣り合う２つの正極タブ３５のうち、第１の電極組立体１２ａの第２端に近い方の正極タブ３５は、第１の電極組立体１２ａの第１端に近い方の正極タブ３５を超えて延びている。つまり、第１の正極タブ群１８ａの段差部においては、複数の正極タブ３５はそれらの先端が階段状にずれた状態で積層されている。
【００３３】
同様に、第１の負極タブ群１９ａにおいて、基端部分が第１の積層方向に隣り合う２つの負極タブ３８のうち、第１の電極組立体１２ａの第２端に近い方の負極タブ３８は、第１の電極組立体１２ａの第１端に近い方の負極タブ３８を超えて延びている。つまり、第１の負極タブ群１９ａの段差部４４においては、複数の負極タブ３８はそれらの先端が階段状にずれた状態で積層されている。
【００３４】
同様に、第２の正極タブ群１８ｂ及び第２の負極タブ群１９ｂの各々は、第２の電極組立体１２ｂの第２端に対応する箇所で寄せ集められた全ての正極タブ３５の部分又は全ての負極タブ３８の部分により構成される集箔部４１と、集箔部４１から、第２の電極組立体１２ｂの第２端から第１端に向かう方向に延びる延出部４２とを備える。
【００３５】
第２の正極タブ群１８ｂの延出部４２は、全ての正極タブ３５が積層した状態で正極導電部材１５ａに溶接により接合される溶接対象部と、溶接対象部よりも第２の正極タブ群１８ｂの先端側に位置する段差部とを備える。第２の負極タブ群１９ｂの延出部４２は、全ての負極タブ３８が積層した状態で負極導電部材１６ａに溶接により接合される溶接対象部４３と、溶接対象部４３よりも第２の負極タブ群１９ｂの先端側に位置する段差部４４とを備える。
【００３６】
上述したように、全ての正極タブ３５は同じ突出長さを有し、全ての負極タブ３８は同じ突出長さを有する。このため、第２の正極タブ群１８ｂにおいて、基端部分が第２の積層方向に隣り合う２つの正極タブ３５のうち、第２の電極組立体１２ｂの第２端に近い方の正極タブ３５は、第２の電極組立体１２ｂの第１端に近い方の正極タブ３５を超えて延びている。つまり、第２の正極タブ群１８ｂの段差部においては、複数の正極タブ３５はそれらの先端が階段状にずれた状態で積層されている。
【００３７】
同様に、第２の負極タブ群１９ｂにおいて、基端部分が第２の積層方向に隣り合う２つの負極タブ３８のうち、第２の電極組立体１２ｂの第２端に近い方の負極タブ３８は、第２の電極組立体１２ｂの第１端に近い方の負極タブ３８を超えて延びている。つまり、第２の負極タブ群１９ｂの段差部４４においては、複数の負極タブ３８はそれらの先端が階段状にずれた状態で積層されている。
【００３８】
本実施形態の二次電池１０は、第１の負極タブ群１９ａの段差部４４と、第２の負極タブ群１９ｂの段差部４４とが負極タブ３８の積層方向（厚さ方向）に重なる重なり部４５を備える。この重なり部４５において、第２の負極タブ群１９ｂの段差部４４は、第１の負極タブ群１９ａの段差部４４と負極導電部材１６ａとの間に配置されている。図示しないが、同様に、本実施形態の二次電池１０は、第１の正極タブ群１８ａの段差部と、第２の正極タブ群１８ｂの段差部とが正極タブ３５の積層方向（厚さ方向）に重ねられた重なり部を備える。この重なり部において、第２の正極タブ群１８ｂの段差部は、第１の正極タブ群１８ａの段差部と正極導電部材１５ａとの間に配置されている。
【００３９】
第１の電極組立体１２ａは、第１の正極タブ群１８ａ及び第１の負極タブ群１９ａが存在する端面であるタブ側端面２０ａと、タブ側端面２０ａと反対側の端面である底側端面２１ａとを備える。第１の電極組立体１２ａは、第１の積層方向における両端にそれぞれ第１端面２２ａ及び第２端面２３ａを備える。第１端面２２ａは、第１の積層方向における第１端に位置し、第２の電極組立体１２ｂと対向する。第２端面２３ａは、第１の積層方向における第２端に位置し、ケース本体１３の第１壁部１３ｃの内面と対向する。第１の電極組立体１２ａは、幅方向における両端にそれぞれ第３端面２４ａ及び第４端面２５ａを備える。第３端面２４ａは、ケース本体１３の第３壁部１３ｅの内面と対向し、第４端面２５ａは、ケース本体１３の第４壁部１３ｆの内面と対向する。
【００４０】
同様に、第２の電極組立体１２ｂは、第２の正極タブ群１８ｂ及び第２の負極タブ群１９ｂが存在する端面であるタブ側端面２０ｂと、タブ側端面２０ｂと反対側の端面である底側端面２１ｂとを備える。第２の電極組立体１２ｂは、第２の積層方向における両端にそれぞれ第１端面２２ｂ及び第２端面２３ｂを備える。第１端面２２ｂは、第２の積層方向における第１端に位置し、第１の電極組立体１２ａの第１端面２２ａと対向する。第２端面２３ｂは、第２の積層方向における第２端に位置し、ケース本体１３の第２壁部１３ｄの内面と対向する。第２の電極組立体１２ｂは、幅方向における両端にそれぞれ第３端面２４ｂ及び第４端面２５ｂを備える。第３端面２４ｂは、ケース本体１３の第３壁部１３ｅの内面と対向し、第４端面２５ｂは、ケース本体１３の第４壁部１３ｆの内面と対向する。
【００４１】
このように、第１の電極組立体１２ａ及び第２の電極組立体１２ｂは、第１の電極組立体１２ａの第１端面２２ａと第２の電極組立体１２ｂの第２端面２３ｂとが対向するように、第１及び第２の積層方向に並ぶ。第１及び第２の積層方向は、第１の電極組立体１２ａを構成する全ての電極と第２の電極組立体１２ｂを構成する全ての電極が並ぶ方向である。
【００４２】
図２に示すように、二次電池１０は、第１の負極タブ群１９ａの溶接対象部４３と負極導電部材１６ａとが溶接された第１負極側溶接部６１を備える。また、二次電池１０は、第２の負極タブ群１９ｂの溶接対象部４３と負極導電部材１６ａとが溶接された第２負極側溶接部６２を備える。第１及び第２の負極タブ群１９ａ，１９ｂの重なり部４５は、第１及び第２の積層方向において第１負極側溶接部６１と第２負極側溶接部６２との間に位置する。図示しないが、同様に、二次電池１０は、第１の正極タブ群１８ａの溶接対象部と正極導電部材１５ａとが溶接された第１正極側溶接部を備える。二次電池１０は、第２の正極タブ群１８ｂの溶接対象部と正極導電部材１５ａとが溶接された第２正極側溶接部を備える。第１及び第２の正極タブ群１８ａ，１８ｂの重なり部は、第１及び第２の積層方向において第１正極側溶接部と第２正極側溶接部との間に位置する。
【００４３】
次に、第１の実施形態の効果を作用とともに記載する。
（１−１）第１の負極タブ群１９ａの延出部４２は、集箔部４１から第１の積層方向に沿って第２の電極組立体１２ｂに向けて延びるため、第１の負極タブ群１９ａの先端部がケース本体１３と接触することを抑制できる。同様に、第２の負極タブ群１９ｂの延出部４２は、集箔部４１から第２の積層方向に沿って第１の電極組立体１２ａに向けて延びるため、第２の負極タブ群１９ｂの先端部がケース本体１３と接触することを抑制できる。また、二次電池１０は、第１及び第２の負極タブ群１９ａ，１９ｂの段差部４４が重ねられた重なり部４５を有するため、段差部４４を向き合わせ、かつ重ねずに第１及び第２の負極タブ群１９ａ，１９ｂを配置する場合と比べて、第１及び第２の負極タブ群１９ａ，１９ｂを配置するためのスペースを第１及び第２の積層方向において削減できる。第１及び第２の正極タブ群１８ａ，１８ｂについても同様である。
【００４４】
（１−２）第１及び第２の負極タブ群１９ａ，１９ｂの両段差部４４が重ねられた重なり部４５は、第１及び第２の積層方向において第１の負極タブ群１９ａの溶接対象部４３と第２の負極タブ群１９ｂの溶接対象部４３との間に位置する。すなわち、第１及び第２の負極タブ群１９ａ，１９ｂの両段差部４４が溶接対象部４３に重なっていない状態で溶接対象部４３と負極導電部材１６ａとを溶接でき、溶接時の作業性を良好にできる。第１及び第２の正極タブ群１８ａ，１８ｂの両段差部が重ねられた重なり部についても同様である。
【００４５】
（第２の実施形態）
以下、蓄電装置を二次電池に具体化した第２の実施形態を図３にしたがって説明する。なお、第１の実施形態と同じ構成の部分については説明を省略し、異なる構成の部分についてのみ説明する。
【００４６】
図３に示すように、第１及び第２の負極タブ群１９ａ，１９ｂはそれぞれ、負極タブ群１９ａ，１９ｂの先端領域を対応する電極組立体１２ａ，１２ｂの第１端から第２端に向かう方向に延びるように折り返した折り返し部４６を備える。すなわち、折り返し部４６は、各負極タブ群１９ａ，１９ｂにおいて、段差部を含む延出部４２の先端領域を１８０度折り返した部分である。各折り返し部４６は、対応する延出部４２のうち、溶接対象部４３から負極導電部材１６ａに沿って第１端に向けて延びる部分に溶接により固定された固定部４６ａを備える。
【００４７】
各折り返し部４６のうち、固定部４６ａを超えて延びる負極タブ３８の先端領域に段差部４４が存在する。本実施形態では、第１及び第２の積層方向における各固定部４６ａの位置は、第１及び第２負極側溶接部６１，６２の位置と異なる。
【００４８】
図示しないが、同様に、第１及び第２の正極タブ群１８ａ，１８ｂはそれぞれ、正極タブ群１８ａ，１８ｂの先端領域を対応する電極組立体１２ａ，１２ｂの第１端から第２端に向かう方向に延びるように折り返した折り返し部を備える。すなわち、折り返し部は、各正極タブ群１８ａ，１８ｂにおいて、段差部を含む延出部４２の先端領域を１８０度折り返した部分である。各折り返し部は、対応する延出部４２のうち、溶接対象部４３から正極導電部材１５ａに沿って第１端に向けて延びる部分に溶接により固定された固定部を備える。
【００４９】
各正極タブ群１８ａ，１８ｂにおいて、折り返し部のうち、固定部を超えて延びる正極タブ３５の先端領域に段差部４４が存在する。本実施形態では、第１及び第２の積層方向における各固定部の位置は、それぞれ第１及び第２正極側溶接部の位置と異なる。
【００５０】
次に、第２の実施形態の効果を作用とともに記載する。
（２−１）第１の負極タブ群１９ａの延出部４２は、集箔部４１から第１の積層方向に沿って第２の電極組立体１２ｂに向けて延びるため、第１の負極タブ群１９ａの先端部がケース本体１３と接触することを抑制できる。同様に、第２の負極タブ群１９ｂの延出部４２は、集箔部４１から第２の積層方向に沿って第１の電極組立体１２ａに向けて延びるため、第２の負極タブ群１９ｂの先端部がケース本体１３と接触することを抑制できる。また、第１及び第２の負極タブ群１９ａ，１９ｂはそれぞれ、それらの先端領域を折り返した折り返し部４６を有するため、両段差部４４を向き合わせ、かつ重ねずに第１及び第２の負極タブ群１９ａ，１９ｂを配置する場合と比べて、第１及び第２の負極タブ群１９ａ，１９ｂを配置するためのスペースを第１及び第２の積層方向において削減できる。第１及び第２の正極タブ群１８ａ，１８ｂについても同様である。
【００５１】
（２−２）第１及び第２の負極タブ群１９ａ，１９ｂの折り返し部４６はそれぞれ固定部４６ａを備える。これにより、折り返し部４６の形状を維持できる。また、溶接対象部４３と負極導電部材１６ａとを溶接する溶接装置によって、折り返し部４６の形状を固定でき、テープや接着剤などの新たな固定手段が不要である。第１及び第２の正極タブ群１８ａ，１８ｂの折り返し部についても同様である。
【００５２】
（第３の実施形態）
以下、蓄電装置を二次電池に具体化した第３の実施形態を図４〜図６にしたがって説明する。なお、第１の実施形態と同じ構成の部分については説明を省略し、異なる構成の部分についてのみ説明する。
【００５３】
第１の電極組立体１２ａにおいて、各正極電極３０の第１縁部３０ａの一部から突出した正極タブ３５を第１の正極タブ３５ａとし、各負極電極３１の第１縁部３１ａの一部から突出した負極タブを第１の負極タブ３８ａとする。同様に、第２の電極組立体１２ｂにおいて、各正極電極３０の第１縁部３０ａの一部から突出した正極タブ３５を第２の正極タブ３５ｂとし、各負極電極３１の第１縁部３１ａの一部から突出した負極タブ３８を第２の負極タブ３８ｂとする。
【００５４】
図４、図５、及び図６に示すように、全ての第１の負極タブ３８ａと全ての第２の負極タブ３８ｂとは、幅方向において異なる位置に存在する。全ての第１の負極タブ３８ａは、幅方向において全ての第２の負極タブ３８ｂよりも第３端面２４ａ，２４ｂに近い位置に配置される。したがって、複数の第１の負極タブ３８ａにより構成される第１の負極タブ群１９ａも、複数の第２の負極タブ３８ｂにより構成される第２の負極タブ群１９ｂよりも幅方向において第３端面２４ａ，２４ｂに近い位置に配置される。また、第１の負極タブ群１９ａと負極導電部材１６ａとを溶接した第１負極側溶接部６１は、第２の負極タブ群１９ｂと負極導電部材１６ａとを溶接した第２負極側溶接部６２よりも、幅方向において第３端面２４ａ，２４ｂに近い位置に配置される。
【００５５】
図６に示すように、第１の負極タブ群１９ａの溶接対象部４３（第１負極側溶接部６１）及び第２の負極タブ群１９ｂの溶接対象部４３（第２負極側溶接部６２）はそれぞれ、第１及び第２の積層方向における負極導電部材１６ａの中央に位置する。なお、負極端子１６は、第１及び第２の積層方向における負極導電部材１６ａの中央に位置する。
【００５６】
同様に、全ての第１の正極タブ３５ａと全ての第２の正極タブ３５ｂとは、幅方向において異なる位置に存在する。全ての第２の正極タブ３５ｂは、幅方向において全ての第１の正極タブ３５ａよりも第４端面２５ａ，２５ｂに近い位置に配置される。したがって、複数の正極タブ３５ｂにより構成される第２の正極タブ群１８ｂも、複数の第１の正極タブ３５ａにより構成される第１の正極タブ群１８ａよりも幅方向において第４端面２５ａ，２５ｂに近い位置に配置される。また、第２の正極タブ群１８ｂと正極導電部材１５ａとを溶接した第２正極側溶接部は、第１の正極タブ群１８ａと正極導電部材１５ａとを溶接した第１正極側溶接部よりも、幅方向において第４端面２５ａ，２５ｂに近い位置に配置される。
【００５７】
第１の正極タブ群１８ａの溶接対象部（第１正極側溶接部）及び第２の正極タブ群１８ｂの溶接対象部（第２正極側溶接部）はそれぞれ、第１及び第２の積層方向における正極導電部材１５ａの中央に位置する。なお、正極端子１５は、第１及び第２の積層方向における正極導電部材１５ａの中央に位置する。
【００５８】
次に、第３の実施形態の効果を作用とともに記載する。
（３−１）第１の負極タブ群１９ａの延出部４２は、集箔部４１から第１の積層方向に沿って第２の電極組立体１２ｂに向けて延びるため、第１の負極タブ群１９ａの先端部がケース本体１３と接触することを抑制できる。同様に、第２の負極タブ群１９ｂの延出部４２は、集箔部４１から第２の積層方向に沿って第１の電極組立体１２ａに向けて延びるため、第２の負極タブ群１９ｂの先端部がケース本体１３と接触することを抑制できる。また、第１の負極タブ群１９ａの延出部４２と第２の負極タブ群１９ｂの延出部４２とは幅方向において異なる位置に配置されるため、第１及び第２の積層方向において延出部４２同士が重ならない。よって、第１及び第２の負極タブ群１９ａ，１９ｂを、互いの段差部４４を干渉させることなく、配置できる。その結果、第１及び第２の積層方向において両段差部４４を向き合わせ、かつ重ねずに配置する場合と比べて、第１及び第２の負極タブ群１９ａ，１９ｂを配置するためのスペースを第１及び第２の積層方向において削減できる。また、第１の負極タブ群１９ａの段差部４４が第２の負極タブ群１９ｂの溶接対象部４３に重ならず、第２の負極タブ群１９ｂの段差部４４が第１の負極タブ群１９ａの溶接対象部４３に重ならないため、溶接対象部４３と負極導電部材１６ａとを溶接する際の作業性を良好にできる。第１及び第２の正極タブ群１８ａ，１８ｂについても同様である。
【００５９】
（３−２）第１及び第２の負極タブ群１９ａ，１９ｂの溶接対象部４３はそれぞれ、第１及び第２の積層方向における負極導電部材１６ａの中央に位置する。このため、第１及び第２の負極タブ群１９ａ，１９ｂの溶接対象部４３が、第１及び第２の積層方向における負極導電部材１６ａの端に位置する場合と比べて、溶接対象部４３から負極端子１６までの電流経路の経路長を短くでき、抵抗を低減できる。第１及び第２の正極タブ群１８ａ，１８ｂの溶接対象部についても同様である。
【００６０】
なお、第１〜第３実施形態は、以下のように変更してもよい。
○  電極組立体１２は、複数の正極電極３０及び複数の負極電極３１を有し、正極電極３０と負極電極３１とをセパレータ３２を介して交互に積層した構造であったが、電極組立体１２の構造はこれに限定されない。例えば、電極組立体１２は、正極電極を収納した電極収納セパレータと負極電極とを交互に積層した構造であってもよい。ただし、各正極電極の正極タブは、電極収納セパレータに収納されず、電極収納セパレータから突出した状態にある。
【００６１】
○  正極電極３０は、正極金属箔３３の片面に正極活物質層３４が配置される構造でもよい。同様に、負極電極３１は、負極金属箔３６の片面に負極活物質層３７が配置される構造でもよい。
【００６２】
○  正極側及び負極側の第１のタブ群１８ａ，１９ａの各々において、集箔部４１を構成するタブ３５，３８の部分は、必ずしも第１の電極組立体１２ａの第２端に対応する箇所で寄せ集められなくてもよく、第１の積層方向における任意の箇所で寄せ集められればよい。例えば、集箔部４１を構成するタブ３５，３８の部分が第１の積層方向において、第１の電極組立体１２ａの中央で寄せ集められてもよいし、第１の電極組立体１２ａの中央と第２端との間で寄せ集められてもよい。正極側及び負極側の第２のタブ群１８ｂ，１９ｂについても同様である。
【００６３】
○  第１の実施形態の重なり部４５において、第１の負極タブ群１９ａの段差部４４が第２の負極タブ群１９ｂの段差部４４と負極導電部材１６ａとの間に配置されてもよい。同様に、第１の正極タブ群１８ａの段差部が第２の正極タブ群１８ｂの段差部と正極導電部材１５ａとの間に配置されてもよい。
【００６４】
○  第２の実施形態において、折り返し部４６の固定部４６ａは溶接対象部４３に溶接により固定されてもよい。この場合、第１の電極組立体１２ａでは、第１の積層方向において、負極側及び正極側の固定部４６ａは、対応する第１負極側溶接部６１及び第１正極側溶接部とそれぞれ同じ位置に配置される。同様に、第２の電極組立体１２ｂでは、第２の積層方向において、負極側及び正極側の固定部４６ａは、対応する第２負極側溶接部６２及び第２正極側溶接部とそれぞれ同じ位置に配置される。
【００６５】
○  第２の実施形態において、折り返し部４６は、固定部４６ａを備えていなくてもよい。
○  第２の実施形態において、折り返し部４６の固定部４６ａの固定方法は、溶接に限定されず、例えばテープや接着剤によって固定されてもよい。
【００６６】
○  第３の実施形態において、第１の正極タブ群１８ａが、第２の正極タブ群１８ｂよりも幅方向において第４端面２５ａ，２５ｂに近い方に配置されてもよい。同様に、第２の負極タブ群１９ｂが、第１の負極タブ群１９ａよりも幅方向において第３端面２４ａ，２４ｂに近い方に配置されてもよい。つまり、第１の正極タブ群１８ａと第２の正極タブ群１８ｂとが幅方向において異なる位置に配置されればよい。また、第１の負極タブ群１９ａと第２の負極タブ群１９ｂとが幅方向において異なる位置に配置されればよい。
【００６７】
○  第３の実施形態において、第１負極側溶接部６１及び第２負極側溶接部６２はそれぞれ、第１及び第２の積層方向において負極導電部材１６ａの中央からずれた位置に形成されてもよい。同様に、第１正極側溶接部及び第２正極側溶接部はそれぞれ、第１及び第２の積層方向において正極導電部材１５ａの中央からずれた位置に形成されてもよい。
【００６８】
○  正極導電部材１５ａ及び負極導電部材１６ａの構成は、例えば、以下のように変更してもよい。なお、負極導電部材１６ａについて詳述するが、正極導電部材１５ａについても同様である。
【００６９】
図７に示すように、負極導電部材１６ａは、矩形平板状の第１部位７１及び第２部位７２を備える。二次電池１０は、第１及び第２の負極タブ群１９ａ，１９ｂの溶接対象部４３と第１部位７１とが溶接により接合された溶接部６３を備える。第１部位７１は、第１及び第２の負極タブ群１９ａ，１９ｂと第２部位７２との間に配置され、第２部位７２は、第１部位７１と蓋１４との間に配置される。負極導電部材１６ａは、第１部位７１と第２部位７２とが溶接されて接合された接合部７３を備える。負極端子１６（図７では図示せず）は、第１部位７１及び第２部位７２を介して第１及び第２の負極タブ群１９ａ，１９ｂと電気的に接続される。なお、第１及び第２の積層方向における接合部７３の位置は、溶接部６３の位置と同じでもよいし、図７に示すように溶接部６３の位置と異なっていてもよい。
【００７０】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００７１】
○  蓄電装置は、例えばキャパシタなど、二次電池以外の蓄電装置にも適用可能である。
【図１】
2018235428.tif 000003
【図２】
2018235428.tif 000004
【図３】
2018235428.tif 000005
【図４】
2018235428.tif 000006
【図５】
2018235428.tif 000007
【図６】
2018235428.tif 000008
【図７】
2018235428.tif 000009
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、
前記第１の電極組立体における前記複数の正極の前記タブにより構成される正極側の第１のタブ群と、
前記第１の電極組立体における前記複数の負極の前記タブにより構成される負極側の第１のタブ群と、
前記第２の電極組立体における前記複数の正極の前記タブにより構成される正極側の第２のタブ群と、
前記第２の電極組立体における前記複数の負極の前記タブにより構成される負極側の第２のタブ群と、
正極側の前記第１及び第２のタブ群と接合された正極側の導電部材と、
負極側の前記第１及び第２のタブ群と接合された負極側の導電部材と、
を備え、
前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、
前記第１の電極組立体の前記第１端に位置する端面と前記第２の電極組立体の前記第１端に位置する端面とが対向するように、前記第１の電極組立体及び前記第２の電極組立体が配置される蓄電装置であって、
正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有し、
前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されており、
正極側及び負極側の各々において、前記第１のタブ群の段差部と前記第２のタブ群の段差部とが前記タブの積層方向に重ねられて重なり部を形成している、蓄電装置。
【請求項２】
前記正極側及び負極側の第１のタブ群の各々において、前記集箔部を構成する前記複数のタブの部分は前記第１の電極組立体の前記第２端に対応する箇所で寄せ集められ、前記延出部は前記集箔部から、前記第１の電極組立体の前記第２端から前記第１端に向かう方向に延びており、
前記正極側及び負極側の第２のタブ群の各々において、前記集箔部を構成する前記複数のタブの部分は前記第２の電極組立体の前記第２端に対応する箇所で寄せ集められ、前記延出部は前記集箔部から、前記第２の電極組立体の前記第２端から前記第１端に向かう方向に延びている、請求項１に記載の蓄電装置。
【請求項３】
正極側及び負極側の各々において、前記重なり部は、前記第１及び第２の積層方向において前記第１のタブ群の溶接対象部と前記第２のタブ群の溶接対象部との間に位置する、請求項１または２に記載の蓄電装置。
【請求項４】
第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、
前記第１の電極組立体における前記複数の正極の前記タブにより構成される正極側の第１のタブ群と、
前記第１の電極組立体における前記複数の負極の前記タブにより構成される負極側の第１のタブ群と、
前記第２の電極組立体における前記複数の正極の前記タブにより構成される正極側の第２のタブ群と、
前記第２の電極組立体における前記複数の負極の前記タブにより構成される負極側の第２のタブ群と、
正極側の前記第１及び第２のタブ群と接合された正極側の導電部材と、
負極側の前記第１及び第２のタブ群と接合された負極側の導電部材と、
を備え、
前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、
前記第１の電極組立体の前記第１端に位置する端面と前記第２の電極組立体の前記第１端に位置する端面とが対向するように、前記第１の電極組立体及び前記第２の電極組立体が配置される蓄電装置であって、
正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有し、
前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されており、
前記各タブ群において、前記延出部は前記段差部を含む折り返し部を有し、同折り返し部は、対応する電極組立体の前記第１端から前記第２端に向かう方向に延びるように前記延出部を折り返した部分である、蓄電装置。
【請求項５】
前記各タブ群における前記折り返し部は、対応する前記延出部に溶接により固定された固定部を備える、請求項４に記載の蓄電装置。
【請求項６】
第１の電極組立体及び第２の電極組立体であって、前記各電極組立体は、互いに極性の異なるシート状の電極である複数の正極及び複数の負極を有し、前記正極と前記負極とが絶縁された状態で交互に積層され、前記各電極は、同電極の一辺の一部から突出するタブを有する、第１の電極組立体及び第２の電極組立体と、
前記第１の電極組立体における前記複数の正極の前記タブにより構成される正極側の第１のタブ群と、
前記第１の電極組立体における前記複数の負極の前記タブにより構成される負極側の第１のタブ群と、
前記第２の電極組立体における前記複数の正極の前記タブにより構成される正極側の第２のタブ群と、
前記第２の電極組立体における前記複数の負極の前記タブにより構成される負極側の第２のタブ群と、
正極側の前記第１及び第２のタブ群と接合された正極側の導電部材と、
負極側の前記第１及び第２のタブ群と接合された負極側の導電部材
と、
を備え、
前記第１の電極組立体における前記複数の電極の積層方向が第１の積層方向であり、前記第２の電極組立体における前記複数の電極の積層方向が第２の積層方向であり、前記第１及び第２の電極組立体の各々は、対応する積層方向における両端である第１端及び第２端を有し、
前記第１の電極組立体の前記第１端に位置する端面と前記第２の電極組立体の前記第１端に位置する端面とが対向するように、前記第１の電極組立体及び前記第２の電極組立体が配置される蓄電装置であって、
正極側及び負極側の各々において、前記第１及び第２のタブ群は、それぞれ、対応する電極組立体の積層方向に寄せ集められた前記複数のタブの部分により構成される集箔部と、前記集箔部からそれぞれ互いに向かって延びる延出部と、を有し、
前記各タブ群において、前記延出部は、タブ群を構成する全ての前記タブが積層した状態で同じ極性の前記導電部材と溶接された溶接対象部と、前記溶接対象部よりも前記タブ群の先端側に位置する段差部と、を有し、前記段差部では、前記複数のタブはそれらの先端が階段状にずれた状態で積層されており、
前記電極の前記一辺に沿う方向が幅方向であり、
正極側及び負極側の各々において、前記第１のタブ群の前記延出部と前記第２のタブ群の前記延出部とは、前記幅方向において異なる位置に配置され、
正極側及び負極側の各々において、前記幅方向から見た時に前記第１のタブ群の前記延出部と前記第２のタブ群の前記延出部とは重なっている、蓄電装置。
【請求項７】
正極側及び負極側の各々において、前記第１のタブ群の前記溶接対象部と前記第２のタブ群の前記溶接対象部とは、前記第１及び第２の積層方向における前記導電部材の中央に位置する、請求項６に記載の蓄電装置。
【国際調査報告】
2018235428.tif 000010
2018235428.tif 000011
2018235428.tif 000012
2018235428.tif 000013